(57)【要約】  チーズその他乳製品及び豆腐を製造するための小型装置であって、不透水ベースン（３）を内蔵するシェル（１）と、透水性バスケット（６）を内蔵して、生成物を収集する収集容器（２）と、２つのサイドアーム（８）を有する下部ベース部材（１０）を備える支持構造と、を備えることを特徴とする。本発明に係る装置は、さらに、攪拌部材（５）を操作するシェル（１）に一体化されたモータ（７）と、ベースン（３）の内容物を様々な温度まで加熱するように構成された加熱手段（４）とを備える。ベースン（３）及び透水性バスケット（６）は、開口であり、且つ相互に連結されている。連結されたベースン（３）及び透水性バスケット（６）は、一体で回転するように構成され、ベースン（３）が下でバスケット（６）が上である第１位置（Ａ）と、バスケット（６）が下でベースン（３）が上である第２位置との間で往復する。複数の製造工程の後にチーズをバスケット（６）から取り出すことができる。
2011504368.tif 000002
【特許請求の範囲】
【請求項１】
チーズその他乳製品、及び豆腐を製造するための小型装置であって、
−分離可能に相互に連結されて、処理チャンバを形成する、開口を有する第１容器及び第２容器と、
−前記第１容器は、協働してワークスペースを画定する下壁及び側壁を有する不透水ベースンと、前記ワークスペース内で動作する攪拌手段と、前記下壁及び／又は側壁を加熱するように構成された加熱手段と、を備え、
−前記第２容器は、前記ベースンからの生成物を内部に運ぶように構成された少なくとも一つの円錐面を有する透水性バスケットを備える
ことを特徴とする小型装置。
【請求項２】
請求項１に記載の小型装置であって、連結された前記第１容器及び第２容器は一体で回転するように構成されており、前記ベースンが下、前記バスケットが上になる第１位置と、前記バスケットが下、前記ベースンが上になる第２位置との間で交互に移動するように構成されていることを特徴とする小型装置。
【請求項３】
前記バスケットはじょうご状端部を有することを特徴とする、請求項１に記載の小型装置。
【請求項４】
請求項１に記載の小型装置であって、連結された前記第１容器及び第２容器が前記第２位置にあるときに、生成物から排出され、前記透水性バスケットによってろ過されたホエーを収集するホエー収集容器を備え、
該収集容器は、前記第２容器に一体であり、前記連結された前記第１及び第２容器を前記第１位置に戻したときに、前記ホエーが前記第１容器に落ちて戻ることができるようにすることを特徴とする、小型装置。
【請求項５】
請求項１に記載の小型装置であって、連結された前記第１容器及び第２容器が前記第２位置にあるときに、前記第１容器から前記バスケットまで伸張することにより、前記第１容器内において前記生成物を押圧する押圧手段を備えることを特徴とする、小型装置。
【請求項６】
請求項５に記載の小型装置であって、前記押圧手段は、前記バスケットに面する平坦底部を有する円錐ヘッドを備えることを特徴とする小型装置。
【請求項７】
請求項５に記載の小型装置であって、前記押圧手段は、前記バスケットに面する平面ディスク又は凹面ディスクからなる群から選択されることを特徴とする小型装置。
【請求項８】
請求項７に記載の小型装置であって、前記凹面ディスクは凹状底部を有する個別のバスケットと共に用いられ、円形空間を画定することを特徴とする小型装置。
【請求項９】
請求項７に記載の小型装置であって、前記ディスクは、自軸の回りを所定の速度で回転し、前記平面又は凹面上に一つ又は複数のピンを備え、該一つ又は複数のピンは、前記押圧手段を前記バスケット方向に伸張させたときに、前記バスケットの底部に備えられた一つ又は複数のピンと係合して、パスタフィラータチーズを製造するために生成物が通るストレッチ用空間を形成するように構成されていることを特徴とする小型装置。
【請求項１０】
請求項１に記載の小型装置であって、透水性バスケットを備え、該透水性バスケットは、取り外して、所望の製品に応じて必要とされる異なる形状のバスケットと交換可能なことを特徴とする小型装置。
【請求項１１】
請求項１０に記載の小型装置であって、前記バスケットは、前記製品について、所望のバスケットろ過率を得ることができるように、格子サイズ及び形状を異ならせて作成されることを特徴とする小型装置。
【請求項１２】
請求項１０に記載の小型装置であって、前記バスケットの壁部は、特定形状を有し、前記チーズを所望の最終形状とするように構成されていることを特徴とする小型装置。
【請求項１３】
請求項１に記載の小型装置であって、前記攪拌手段は、様々な製造工程を実行し、及び／又は、様々な種類の製品を得るための様々な操作に応じた異なる断面及び形状を有することを特徴とする小型装置。
【請求項１４】
請求項１に記載の小型装置であって、カードブレーカ、ミキサー、攪拌器、ストレッチャーのような様々な機能に応じて、迅速に挿入及び／又は取り外しできるようにスナップ式接続部を備えることを特徴とする小型装置。
【請求項１５】
請求項１に記載の小型装置であって、２つの連結された容器のための支持構造は、２つのサイドアームを有する平坦なベース部材を備えることを特徴とする小型装置。
【請求項１６】
請求項１５に記載の小型装置であって、前記サイドアームは前記連結された容器について向かい合って配置されており、回転中に前記連結された容器を支持することを特徴とする小型装置。
【請求項１７】
請求項１５に記載の小型装置であって、前記サイドアームは、前記２つの連結された容器の回転を自動駆動するモータに関連付けられていることを特徴とする小型装置。
【請求項１８】
請求項１に記載の小型装置であって、前記第１容器は、攪拌モータを内包するシェルに覆われることを特徴とする小型装置。
【請求項１９】
請求項１に記載の小型装置であって、前記攪拌モータは前記シェル及び／又は第１容器の外側のベース部材上に固定されることを特徴とする小型装置。
【請求項２０】
請求項１に記載の小型装置であって、前記攪拌手段及び関連するモータは、選択的に反対方向に回転できるように構成されており、前記攪拌手段は、２つの方向のいずれか一方において刃状の輪郭形状を有し、他方の方向においてミキサー状の輪郭形状を有するブレードを備えることを特徴とする小型装置。
【請求項２１】
請求項１に記載の小型装置であって、前記小型装置はディジタル表示を備え、該表示は、選択したプログラム又は製造する製品、様々な製造工程においてユーザが行わなくてはならない動作についての指示を表示することを特徴とする小型装置。
【請求項２２】
請求項１に記載の小型装置であって、前記小型装置は、さらに、監視センサを備え、温度、攪拌手段の速度、ｐＨ、及び前記小型装置内の圧力などの物理量を測定し、望ましい状態で操作工程を進行することを特徴とする小型装置。
【請求項２３】
請求項１に記載の小型装置であって、前記小型装置は、レンネット、細菌植菌、又は、製造に有益な他の材料を前記第１の容器に直接加えるための手段を備え、
該手段は、選択した工程において乳に投入すべき材料を個別に又はあらかじめ混合した状態で包含しているカプセルを有する
ことを特徴とする小型装置。
【請求項２４】
請求項２３に記載の小型装置であって、前記カプセルは、２つの容器を開けることなく所定時間後にベースンに加えられるべきレンネット又はクエン酸を内包することを特徴とする小型装置。
【請求項２５】
請求項１に記載の小型装置であって、蛇口への締結手段を有し、前記小型装置への冷水の導入を補助することを特徴とする小型装置。
【請求項２６】
請求項１に記載の小型装置であって、前記ベースンから前記透水性バスケットへのカードの落下を補助する振動手段を有することを特徴とする小型装置。
【発明の詳細な説明】
【技術分野】
【０００１】
本発明は、食品分野に関し、具体的には、乳製品及び食品産業において採用されているような方法を用いて、チーズ、その他乳製品及び豆腐を製造する装置に関する。
【背景技術】
【０００２】
チーズや他の乳製品の製造には多くの工程が必要であり、これらの工程はこの分野の製品の多くに共通して用いられる。
【０００３】
典型的なプロセスでは、想定される予備的な処理を行った後に、乳を加熱し、まず、各製品の種類に応じて特に選択した細菌培養物と混合し、次いで、酵素材料であるレンネットと混合する。一般的には、レンネットは動物由来の未加工のタンパク質分解酵素である。
【０００４】
レンネットの酵素活性によって、乳を凝固させて、固体ゲル又はカードを生成し、それらを細かく分断して（「カット」又は「ミル」工程）ホエーを排出させる。
【０００５】
凝乳の分断後に、静置時間を置く（「休ませる」）、及び／又は、更に加温する（「クッキング」）工程を実施することができる。そして、既にホエーから分離してあるカードを、最終製品を成形するための特別な容器（「型」）に入れる。この後に続く工程は「ドライアウト」と称され、この工程の間、半製品を特別な暖かい場所（「恒温室」）に入れ、乳に添加した細菌培養物の醗酵活性を補助する。他の効果もあるが、発酵活性によって乳に存在するラクトースが乳酸に変化する。この酸性化は、半製品に継続してホエーを排出（「シネレシス」）させる。同時に、半製品をより堅固にするために押圧することが可能である。そして、加塩工程を行うが、この工程は、エージング工程である「熟成」工程の後に行うことも可能である。
【０００６】
通常、得られたホエーは、リコッタのようなフレッシュチーズを得るために再度利用する。この場合、ホエーを攪拌して、８０〜９０℃まで加熱して凝固させ、リコッタの「フレーク」を浮かせ、ライトホエーを分離させる。「パスタフィラータ」チーズ（例えば、モッツァレッラ）の場合には、幾つかの工程は上述の技術に類似する。
【０００７】
典型的なプロセスにおいては、牛乳を約３５℃まで加熱し、選択した細菌培養物を植菌し、数分間静置する。このとき、レンネットを添加し、凝固させた後に、カードを粉砕（「ミル」）して、ホエーを完全に又は部分的に排出させる。そして、約４０℃に保持して、いわゆる「ドライアウト」を行う。この間、植菌された細菌培養物によってカードを酸性化する。場合によっては、植菌された細菌培養物による醗酵によらず、クエン酸を直接添加することで、酸性化を行う。次の工程では、暖めたホエー又は湯（８０〜９０℃）にカードを浸す。その後、「ストレッチ」と称される手動又は機械的な捏ね工程を行う。最終的には、一旦成形し、製品を冷水中で冷却する。
【０００８】
そして、バターについて考えると、典型的な製造プロセスは、以下の通りである。
−クリームに特定の細菌培養物を植菌する。
−温度を２０℃に保ち、微生物を増殖し、製品を酸性化する（「ドライアウト」）
−製品を６℃まで急冷する（「結晶化」）
−低温で製品を強く攪拌し、リーン（lean）ホエーから分離した脂肪分（バター）を濃厚にする（「攪乳」）。
【０００９】
上述の工程は、工業分野又は手工業分野で通常実行されるものであり、多種多様な生産方法、及び特殊な装置を伴った広い作業空間を必要とする。これらの装置は、家庭内生産には用いることはできない。比較的小さい工房でさえも、家庭内生産に用いることができない容器及び装置を用いている。
【発明の概要】
【発明が解決しようとする課題】
【００１０】
従って、本発明は、チーズ、その他乳製品及び豆腐を製造するための、特に、家庭用に用いることができる程度に小型化された、小型装置を提供することを目的とする。
【００１１】
本発明の他の目的は、チーズ、その他乳製品、及び豆腐を製造するための小型装置であって、チーズ、その他乳製品、及び豆腐を一個だけ作るためであっても、一連の製造工程を実行できる装置を提供することである。
【００１２】
本発明の更に他の目的は、チーズ、その他乳製品、及び豆腐を製造するための小型装置であって、機能的且つ信頼性が高く、そして審美性に富む構造を有する装置を提供することである。
【００１３】
本発明の更に他の目的は、チーズ、その他乳製品、及び豆腐を製造するための小型装置であって、主要部品の構造が簡易である装置を提供することである。
【００１４】
本発明の更に他の目的は、チーズ、その他乳製品、及び豆腐を製造するための小型装置であって、普及、及び製造のための、小さい家庭用装置を提供することである。
【００１５】
本発明の更に他の目的は、チーズ、その他乳製品、及び豆腐を製造するための小型装置であって、小型チーズ、パスタフィラータチーズ、チーズフレーク、ソフトチーズや、リコッタ、バター及び豆腐などの製造において多機能操作性を有する装置を提供することである。
【課題を解決するための手段】
【００１６】
これら及びその他の目的は、チーズ、その他乳製品、及び豆腐を製造するための小型装置であって、
−分離可能に相互に連結されて、処理チャンバを形成する、開口を有する第１容器及び第２容器と、
−前記第１容器は、協働してワークスペースを画定する下壁及び側壁を有する不透水ベースンと、前記ワークスペース内で動作する攪拌手段と、前記下壁及び／又は側壁を加熱するように構成された加熱手段と、を備え、
−前記第２容器は、前記ベースンからの生成物を内部に運ぶように構成された少なくとも一つの円錐面を有する透水性バスケットを備えることを特徴とする小型装置によって達成される。
【００１７】
特に、連結された前記第１容器及び第２容器は一体で回転するように構成されており、前記ベースンが下、前記バスケットが上になる第１位置と、前記バスケットが下、前記ベースンが上になる第２位置との間で交互に移動するように構成されている。
【００１８】
好適には、前記バスケットはじょうご状端部を有する。
【００１９】
有利には、連結された前記第１容器及び第２容器が前記第２位置にあるときに、生成物から排出され、前記透水性バスケットによってろ過されたホエーを収集するホエー収集容器を備え、該収集容器は、前記第２容器に一体であり、前記連結された前記第１及び第２容器を前記第１位置に戻したときに、前記ホエーが前記第１容器に落ちて戻ることができるようにする。
【００２０】
このように、乳、細菌培養物及びレンネットを前記第１の容器に投入し、前記第２容器で上から蓋をして、最初は前記２つの容器のセットを第１位置に保持することでチーズを製造することができる。その後、前記攪拌手段による混合工程、前記加熱手段によって、製造すべきチーズに応じた約３０〜４０℃の温度まで加熱する。そして、攪拌手段を停止し、カードが形成されるまで数分間放置する。その後、攪拌手段を再度操作して、カードを破砕する。その後、連結した第１及び第２の容器を一体で前記第２位置まで回転させて、破砕されたカードである中間生成物を前記第２容器に落とす。特に、中間生成物を円錐面、特にじょうご状部分によって透水性バスケットに誘導する。
【００２１】
前記収集容器は、前記第２容器と一体にすることが可能であり、中間生成物から排出され透水性バスケットを経てろ過されたホエーを収集する。破砕されたカードよりなるバスケット内の中間生成物は、自重によって徐々に圧縮されていく。その後、再度加熱手段をチーズの種類に応じて所定時間動作させ、２つの容器からなるチャンバ内の温度を約３０℃に維持して、いわゆる「ドライアウト」工程を実行する。ドライアウト工程に先立って、手動、又は以下に詳述するような特別な自動化手段によってカードを圧縮することは好適である。
【００２２】
ドライアウト工程の最後に容器を開けた後に、チーズを取り出して別個に押圧し、あるいは、バスケット内に残して、内部に残っている可能性のある空洞を除去することも可能である。その後、一旦チーズを取り出して、２つの容器は再度閉鎖することができる。
【００２３】
リコッタを生産する場合には、再度乳を攪拌した後、加熱手段によってホエーを約８０〜９０℃まで加熱して、ホエー蛋白を凝固させ、最終的に、ライトホエーからリコッタを分離する。
【００２４】
その後、連結した第１及び第２容器を再度一体で第２位置まで回転させ、リコッタからなる製品及びライトホエーを前記第２容器に落下させる。このとき、前記透水性バスケットの前記じょうご状端部が誘導する。収集容器は、リコッタから排出され、透水性バスケットによってろ過されるライトホエーを収容する。リコッタを、バスケット内に残し、圧縮して、２つの容器を開いた後に取り出す。ライトホエーを除去又は再利用するために排出し、洗浄することで、新たな製造サイクルに装置を用いる準備が整う。
【００２５】
有利には、連結された前記第１容器及び第２容器が前記第２位置にあるときに、前記第１容器から前記バスケットまで伸張することにより、前記第１容器内において前記生成物を押圧する押圧手段を備える。このようにして、前記第１及び第２容器を開かずに、前記第１位置に戻すことが可能になる。この場合、製品は前記押圧手段によって保持され、その間、ホエーは第１容器のベースンに落ちる。第２容器を持ち上げると、チーズ（リコッタ）を押圧手段から取り出すことができる状態になる。特に、押圧手段は攪拌手段が回転する軸と同じ軸から伸張させることができ、前記第２容器内においてじょうご状部分に保持して、バスケットを閉鎖しないようにすることができる。
【００２６】
特に、押圧手段は、バスケットに面する平坦底部を有する円錐ヘッドを有している。このように、第１位置から第２位置に移動する際に、製品は前記じょうご状端部及び押圧手段の円錐壁を伝い、前記バスケットに達する。その後、継ぎ手式又はネジ式にシャフトを伸張させて押圧手段を前記バスケットまで下ろし、平坦底部をバスケット内の製品に接触させる。
【００２７】
前記平坦底部をチーズ、その他乳製品を支持するための支持体として用いて、生産サイクルの終わりに、２つの容器を第１位置に戻し、第２容器を開けて最終製品を取り出すか、又は他の操作を実行する。
【００２８】
上述の装置において実行可能な、考えられうるプロセスの他の実施形態は、例えば、モッツァレッラのようなパスタフィラータチーズの製造に関する。生産工程は、材料を第１容器に投入することに始まる。想定されるレシピによれば、牛乳、クリーム、クエン酸及びレンネットを用いうる。その後、前記攪拌手段を数分間動作させ、材料を適切に混合する。その後、攪拌手段を停止させ、加熱手段をオンにしてベースンの内容物を約３５℃まで加熱する。約１５分後、攪拌手段を再度操作して、カードを破砕する（「ミル」工程）。
【００２９】
その後、前記第１及び第２容器を相互に連結し、一体で第２位置まで回転させる。破砕したカードを、前記第２容器に落とし、じょうご状端部によって前記透水性バスケットに誘導する。数分後、相互に連結した前記第１及び第２容器を前記第１位置まで一体的に回転させる。このようにして、ホエーを前記第１のベースンに収集し、カードをバスケット内で前記押圧手段によって圧縮する。その後、前記加熱手段をオンにしてホエーを約８０〜９０℃まで加熱する。この時、相互に連結した前記第１及び第２容器を第２位置まで一体的に回転させ、カードを熱したホエーに浸す。その後、前記第１及び第２容器を前記第１位置まで再度回転させる。この時、ユーザが前記第２容器を取り外し、カードを取り出して加工を行い（ストレッチ工程）、最終製品を得ることもできる。あるいは、ストレッチ工程は、押圧手段上及びバスケットの底部に設けたストレッチピンによって行うこともできる。
【００３０】
有利には、製造中のカードを装置に戻し、新たに傾斜工程を行って、再度カードを熱したホエーに浸すことも可能である。このようにしてカードを熱したホエーに「沈める」工程は、所望の堅さになるまで繰り返すことができる。
【００３１】
前記装置によって実行されうる他の種類の方法は、バターの製造に関するものである。第１の工程は、第１の容器にクリームを投入し、特定の細菌を植菌することである。その後、攪拌手段を操作して、内容物を適切に混合し、加熱手段をオンにして約３０℃まで加熱する。
【００３２】
クリームが良好に熟成したら、加熱手段をオフにして製品を急速に冷却する。この冷却工程は、第２容器を取り外した後に冷水を直接装置に注入するか、又は本発明に係る装置に付属する、冷水リザーバ及び注入装置を備える器具を通じて冷水を注入することによる。
【００３３】
その後、攪拌手段の速度を上げて、第１及び第２容器を、位置Aと位置Bの間で繰り返し傾斜させ、生成物を打ち付けるように攪拌する（「バターメイキング」工程）。
【００３４】
有利には、前記押圧手段は、前記バスケットに面する平面ディスク又は凹面ディスク からなる群から選択される。
【００３５】
上記のストレッチピンに関して、パスタフィラータチーズの製造においては、前記ディスクは、自軸の回りを所定の速度で回転し、前記平面又は凹面上に一つ又は複数のピンを備え、該一つ又は複数のピンは、前記押圧手段を前記バスケット方向に伸張させたときに、前記バスケットの底部に備えられた一つ又は複数のピンと係合して、パスタフィラータチーズを製造するために生成物が移動する空間を形成するように構成されていることを特徴とする。
【００３６】
有利には、透水性バスケットを備え、該透水性バスケットは、取り外して、所望の製品に応じて必要とされる異なる形状のバスケットと交換可能である。
【００３７】
例えば、前記バスケットは、前記製品について、所望のバスケットろ過率を得ることができるように、格子サイズ及び形状を異ならせて作成される。特に、前記バスケットの壁部は、特定形状を有し、前記チーズを所望の最終形状とするように構成されていてもよい。例えば、モッツァレッラを製造する場合には、典型的な丸い形状とするために、バスケットの底部及び押圧部材の底部は、対応する凹面とし、２つの間の空間が、モッツァレッラに典型的な丸い形状となるようにする。
【００３８】
さらに、前記攪拌手段は、様々な製造工程を実行し、及び／又は、様々な種類の製品を得るための様々な操作に応じた異なる断面及び形状を有する。
【００３９】
例えば、カードブレーカを回転方向に応じて可動である部位を有する「竪琴」形状にして、それぞれ切断又は混合機能を発揮するようにできる。
【００４０】
通常、本発明に係る装置は、カードブレーカ、ミキサー、攪拌器、ストレッチャーのような様々な機能に応じて、迅速に挿入及び／又は取り外しできるようにスナップ式接続部を備える一式の攪拌手段を有する。
【００４１】
好適には、２つの連結された容器のための支持構造は、２つのサイドアームを有する平坦なベース部材を備えるる。前記サイドアームは、前記連結された容器について向かい合って配置されており、回転中に前記連結された容器を支持する。
【００４２】
有利には、前記サイドアームは前記２つの連結された容器の回転を自動駆動するモータに関連付けられている。例えば、ベース部材フレームにモータを備え、伝達手段を介して容器に接続することができる。あるいは、第１位置から第２位置へと回転させる際に、容器を回転させるためのモータを２つの容器と一体で回転させても良い。
【００４３】
有利には、前記第１容器は、攪拌モータを内包するシェルに覆われる。この場合、第１位置から第２位置へ回転する際に、攪拌モータは、２つの容器と一体で回転する。
【００４４】
攪拌モータを、シェル及び／又は第１容器の外側のベース部材に取り付けてもよい。この場合、スナップ式クラッチ手段を備えて、攪拌手段に動作を伝える伝達手段に迅速に接続できるようする。２つの容器が第１位置にあるときに、スナップ式クラッチ手段と伝達手段とは相互に連結している。
【００４５】
攪拌手段及び関連するモータは、選択的に反対方向に回転するように構成する。そして、前記攪拌手段は、２つの方向のいずれか一方において刃状の輪郭形状を有し、他方の方向においてミキサー状の輪郭形状を有するブレードを備える。従って、攪拌手段が一方向へ回転する場合には、ブレードはミキサーとして機能し、レンネット及び細菌培養物を牛乳に混合する攪拌工程において用いられ、攪拌部材が反対方向に回転する場合には、ブレードは切先として機能してカードを小片にカットする。
【００４６】
好適な例示的実施形態において、前記小型装置はディジタル表示を備え、該表示は、選択したプログラム又は製造する製品、様々な製造工程においてユーザが行わなくてはならない動作についての指示を表示する。
【００４７】
さらに、前記小型装置に、レンネットやクエン酸などの凝固材を投入すべきタイミングをユーザに通知するためのアラーム手段を備えることもできる。
【００４８】
特に、前記装置は、さらに、監視センサを備え、温度、攪拌手段の速度、ｐＨ、及び前記装置内の圧力などの物理量を測定し、望ましい状態で操作工程を進行する。
【００４９】
好適な例示的実施形態において、前記小型装置は、レンネット、細菌植菌、又は、製造に有益な他の材料を前記第１の容器に直接加えるための手段を備え、該手段は、選択した工程において乳に投入すべき材料を個別に又はあらかじめ混合した状態で包含しているカプセルを有する。例えば、前記カプセルは、２つの容器を開けることなく所定時間後にベースンに加えられるべきレンネット又はクエン酸を内包することができる。
【００５０】
有利には、蛇口への締結手段を有し、前記小型装置への冷水の導入を補助する。
【００５１】
好適には、前記ベースンから前記透水性バスケットへのカードの落下を補助する振動手段を有する。
【００５２】
豆腐を製造する場合であっても、装置の動作は小型のチーズを製造するプロセスと同様であり、豆乳及び適切な凝固材を用いる。
【００５３】
有利には、チーズ、その他乳製品及び豆腐を製造する装置は多機能であり、例えばヨーグルト、パン、ジャム、パスタ等の製造に用いることができる。この場合、第１容器を用いて、多様な製品のための材料を混合、加熱及び／又は調理し、第２容器をカバーとして用いて保温や最終製品の収集を行いうる。
【００５４】
添付の図面を参照して、本発明の例示的実施形態を詳述して本発明をより明確にする。以下の記載はあくまでも例示であり、発明の範囲を何ら制限するものではない。
【図面の簡単な説明】
【００５５】
【図１】本発明に従うチーズ、その他乳製品及び豆腐を製造する装置の断面図である。
【図２】１８０度回転した、図１に示すチーズ、その他乳製品及び豆腐を製造する装置の断面図である。
【図３】第１容器（ベースン）及び攪拌手段の部分拡大断面図である。
【図３Ａ】本発明に係る小型装置に設けた押圧手段の詳細図である。
【図４】支持手段及び制御手段を備える、チーズ、その他乳製品及び豆腐を製造するための小型装置の側面図である。
【図５】チーズ又は豆腐の製造工程における一連の操作を示す。
【図６】チーズ又は豆腐の製造工程における一連の操作を示す。
【図７】チーズ又は豆腐の製造工程における一連の操作を示す。
【図８】チーズ又は豆腐の製造工程における一連の操作を示す。
【図９】チーズ又は豆腐の製造工程における一連の操作を示す。
【図１０】チーズ又は豆腐の製造工程における一連の操作を示す。
【図１１】チーズ又は豆腐の製造工程における一連の操作を示す。
【図１２】チーズ又は豆腐の製造工程における一連の操作を示す。
【図１３】チーズ又は豆腐の製造工程における一連の操作を示す。
【図１４】図５〜１２に示す工程に続く、リコッタを製造するための操作を示す。
【図１５】図５〜１２に示す工程に続く、リコッタを製造するための操作を示す。
【図１６】図５〜１２に示す工程に続く、リコッタを製造するための操作を示す。
【図１７】図５〜１２に示す工程に続く、リコッタを製造するための操作を示す。
【図１８】図５〜１２に示す工程に続く、リコッタを製造するための操作を示す。
【図１９】図５〜１２に示す工程に続く、リコッタを製造するための操作を示す。
【図２０】幾つかの製造プロセスのパラメータを時間軸に沿って示す線図である。
【図２１】図１に示す小型装置を用いてパスタフィラータチーズを製造する際のストレッチ工程を示す図である。
【図２２】図２０に示す線図と同様の、パスタフィラータチーズを製造するプロセスにおける幾つかのパラメータを示す線図である。
【図２３】容器及びバスケットに想定される例示的形状を、これらに接続された連結手段と共に示す断面図である。
【図２４】容器及びバスケットに想定される例示的形状を、これらに接続された連結手段と共に示す断面図である。
【図２５】変則的に配置した攪拌手段を有するベースンの上面図である。
【図２６Ａ】攪拌手段／カードブレーカの例示的実施形態を示す図である。
【図２６Ｂ】攪拌手段／カードブレーカの例示的実施形態を示す図である。
【図２６Ｃ】攪拌手段／カードブレーカの例示的実施形態を示す図である。
【図２７】攪拌手段の動作機構及び１８０°回転を行うモータ装置を有する、本発明に係る小型装置の例示的実施形態の正断面図である。
【図２８】攪拌手段の動作機構及び１８０°回転を行うモータ装置を有する、本発明に係る小型装置の例示的実施形態の側面図である。
【発明を実施するための形態】
【００５６】
図１は、本発明に係るチーズ、その他乳製品及び豆腐を製造する装置の断面図であり、該装置は、第１容器（不透水ベースン３）からなるシェル１、及び、生成物を収集するために第２容器即ち透水性バスケット６が嵌入されている収集容器２を備えている。
【００５７】
より正確には、ベースン３及び透水性バスケット６は、開口を有する容器であって、分離可能に相互に連結されており、封止処置チャンバ２０（図５以降の図面に示す）を形成する。封止処置チャンバ２０は、ベースンに属するチャンバ３ａ、及びバスケット６に属するチャンバ６ａ及び６ｂによって形成される。図３により明確に示すように、不透水ベースン３は、ワークスペース３aを画定する下壁３c及び側壁３bを有し、内部に攪拌手段５を備える。
【００５８】
２つの連結した容器２及び３を支持構造に枢動可能に設ける。この支持構造は、回転中に容器を支持するための、連結した容器の両側に配置された２つのサイドアーム８を有する平面ベース部材１０を備える。
【００５９】
本発明に係る小型装置の主な機能のうちの１つは、実際には、相互に連結する際に、ベースン３及び透水性バスケット６が一体に回転するよう構成される。これにより、ベースン３が下、バスケット６が上に位置する第１位置Ａ（図１）と、バスケット６が上、ベースン３が下に位置する第２位置Ｂ（図２）の間で移動するようになる。
【００６０】
このような回転工程は、ヒンジ８ａ及び駆動回転装置９を用いて容器１に枢動可能に接続された垂直アーム８により構成される支持フレームによって可能になる。このような接続は、連結した容器１及び容器２が、第１位置Ａから第２位置Ｂ（図２に示す）まで、軸８ｂについて回転できるようにする。
【００６１】
加えて、小型装置はモータ７を備え、このモータ７は、シェル１に一体であり攪拌手段５を操作する。攪拌手段５は、内部において、図３および３Ａに詳細に示し、以下に詳述する押圧手段１２と協働する。加えて、攪拌手段の回転運動は、押圧素子についてさえ選択的に伝わり、以下に述べるパスタフィラータチーズを製造する際のストレッチ工程を実行する。
【００６２】
さらに、ベースン３およびバスケット６によって画定される処置チャンバ２０を、様々な温度まで加熱するように構成された加熱手段４が備えられる。
【００６３】
特に、加熱手段４は、ベースン３の下壁３cに埋設された電気抵抗であり、多様な生産サイクルに応じて、製品を様々な温度まで加熱するように調整することができる。あるいは、不透水ベースン３の壁３bの周りや、下壁３c付近に配置することができる。
【００６４】
攪拌手段５は、例えば、「竪琴状の」カードブレーカ５、即ち、複数のストリング及び回転可能な中央シャフト５aを有する回転フレームである。これは、スペース３ａのあらゆる位置において、確実にカードを均一にカットするのに適している。攪拌手段の更なる実施例を図２６Cに示す。
【００６５】
具体的には、攪拌手段５は、時計回りに操作した場合に刃状の輪郭形状となり、反時計回りに操作した場合にミキサー状の輪郭形状となる複数のブレードを有する。従って、攪拌手段が反時計回り方向に回転する場合、ブレードはミキサーとして機能する。これは、レンネットおよび細菌培養物を乳と混合する開始工程において有益である。そして、攪拌手段が逆方向に回転する場合、ブレードは切断機能を発揮し、カードを小片に切断するために用いられる。
【００６６】
図示しないが、装置に様々な形状の攪拌手段のセットを備えても良い。そして、それぞれのセットは、スナップ式に着脱可能な接続部１０１（図２７に示す）を有するので、カードブレーカ、ミキサー、攪拌器等としての様々な操作機能に応じて、迅速な嵌合及び取り外しが可能である。
【００６７】
好適には、攪拌手段５及び相対モータ７を、それぞれ選択的に反対方向、即ち、時計回り又は反時計回り方向に配置して、混合及び切断という２つの機能を持たせることが可能である。
【００６８】
図１に示すように、バスケット６は着脱可能な底部６ｆ、円筒体６ｅ、及び、ベースン３からの生成物をチャンバ６ｂに導くように構成されているじょうご状端部６dを備える。より正確には、上述のように、円筒状体６ｅ及び下壁６ｆは、カードを収容するように構成されている第１チャンバ６ｂを画定する。また、じょうご状端部６ｄは第２容器６ａを画定する。また、２つの容器が一方向に回転する場合、回転が行われる端部において一つの円錐面を有するバスケットが形成される。
【００６９】
構造的に、円筒形本体６ｅ、じょうご状部分６d、下壁６ｆは、バスケット６から収集容器２へホエーが移動するように、貫通孔を有する。
【００７０】
図２は、チーズ、その他乳製品及び豆腐を製造するための小型装置を図１に示した位置と比較して１８０°回転して、バスケット６がベースン３の下になるようにする。
【００７１】
図３は、シェル１から取り外して、ユーザの選択に応じて交換することが可能な、平坦な底面を有する円錐台形状のベースン３を拡大し、詳細に示した図である。上述したように、ベースン３には攪拌手段５が設けられており、攪拌手段５は、中央連結部（図２７の例示的実施形態に示す）を有する竪琴状であり、連結のため、又は、攪拌手段を製造サイクルの他の工程や他の種類のチーズに用いられる他の攪拌手段と交換するために用いられる。さらに、図３は、ベースン３の下壁３cに配置される環状抵抗４を示し、環状抵抗４は、特定の製品それぞれについての指示通りに、製品を加熱する。特に、抵抗４は、ベースン３の全ての位置において一定温度を保つことができる。
【００７２】
また、押圧手段１２は、上方向に延長可能に構成されており、ベースン３及びバスケット６が位置Bにあるときに、バスケット６に係合する。これにより、ベースン３及びバスケット６は、第１位置Aに戻ったときに、半製品は押圧手段で支持されるので、バスケット６から落ちないようにする。
【００７３】
図３Aに示す例示的実施形態においては、押圧手段１２は、バスケット６の方向に、ヘッド１２b、円錐台形体１２c及び平坦底部１２ｄを備える。これにより、装置が第１位置Aから第２位置Bまで回転するときに、生成物は押圧手段の円錐台形壁１２cに対して摺動して、バスケット６に達する。また、押圧手段は凹面（図２１に示す）又は平面を有するディスク１２fであり、カードをストレッチする工程に用いるピン１sを備える。後者の場合、上述した通り、ディスクは、プレス動作に加えて、所定の速度でディスク自体の軸についてモータ７によって回転し、以下に詳述するパスタフィラータチーズのストレッチ工程を行う。
【００７４】
操作サイクルに従って、押圧手段１２（１２ｆ）は、延長シャフト１２ａによってバスケット６まで下げる。例えば、伸縮自在又はネジ結合によって、平坦底部１２ｄがバスケット６に係合して生成物に接触するまで延長する。平坦底部でカードを押圧し、且つ生成物を支持するために用射る。そして、２つの容器を第１位置Ａに戻した後に第２容器２を取り外す。図３Aに示す拡大図には、押圧手段１２のヘッド１２b及び平坦底部１２dは透水性であることを示す。具体的にはこれらは、格子状に穴の開いたプレートであって、押圧工程を経てホエーを排出できるようにする。
【００７５】
上述のように、押圧ディスク１２ｆを挿入した場合、ストレッチ動作を押圧動作に加えて、ディスクがそれ自体の軸について回転することに伴って、バスケット６のピン１Ｓ’に結合されたピン１Ｓに回転が伝わる。
【００７６】
図４は、位置Ａにおけるチーズ、その他乳製品を製造するための小型装置の側面図であり、外側シェル１及び収集容器２を、気密連結部材１６によって相互に連結した様子を示す。
【００７７】
例えば、気密連結部材１６は、凹部（図示しない）によって係合するフック状ロックレバー（図示しない）であり、シェル１及び収集容器２を固定接続可能にする。密閉部材を２つの容器の間に介在させて、をより良好に密着させることも可能である。
【００７８】
さらに、図４において、２つの結合された容器の支持構造が下部ベース部材１０を備えており、これらはディジタル表示１０ａを有している。ディジタル表示１０Aは、特に、選択された生産プログラムの種類又は製造したい製品の種類、及び／又は、多様な製造工程においてユーザが行わなくてはならない操作を表示する。さらに、温度、攪拌手段の速度、ｐＨ、装置内の圧力等の物理量を測定するために監視センサ（図示しない）を設けても良く、これにより、望ましい形で操作工程を進行することが可能になる。このようなセンサは、例えば、警告灯１０b及び１０ｃであり、ユーザに対して他の部品を取り付けるタイミングを報知する。
【００７９】
さらに、レンネットの添加、細菌植菌、又は製造に有効な他の材料のために、図示しないが、シェル１は、ベースン３に材料を投入する投入口を備えても良い。材料は、分離して又は事前に混合してカプセルに入れても良い。例えば、レンネット又はクエン酸を所定時間後に２つの容器を開くことなくベースンに投入するカプセルに入れておいてもよい。
【００８０】
図５〜１３は、本発明による小型装置によって、レンネットタイプ・チーズを製造する方法を示す。
【００８１】
図５を参照すると、乳２１及び使用する部材、ベースン３における発酵及び凝固を可能にする細菌培養物及びレンネット（図示しない）を、バスケット６及びその上にかぶせられた対応する収集容器２と共に示す。第１工程において、ベースン３及びバスケット６を相互に連結し、位置Ａに設置する。ついで、図５に示すように、材料を攪拌手段５で混合し、抵抗４によって約３０〜４０℃まで加熱する。そして、攪拌手段５を停止してカード（図６に示す）が形成されるまで放置する。
【００８２】
図６には、攪拌手段５を再び回転させて、カードを細分する工程を示す。その後、ベースン３及びバスケット６を一体で回転させて、図７に示す位置Ｂとし、細分したカード２２からなる生成物及びホエー２３ａをバスケット６に流入させる。具体的には、細分したカードはじょうご状部分６ｄによってチャンバ６ｂ（図１及び２に示す）に誘導し、ホエー２３は収集容器２に収集する。
【００８３】
図７には、カードから排出されたホエー２３ａを収集容器２に収集させる工程を示す。バスケット６によってろ過されたホエーが容器２に満ちてくる一方で、図８に示すように、バスケット６では細分したカード２２を押圧手段１２によって徐々に成形する。
【００８４】
図９には、ベースン３及びバスケット６を回転させて第１位置Ａへ戻し、収集容器２に存在したホエー２３ａを、バスケット６に設けられた穴を通してベースン３に落とす。このとき、圧縮したカード２４aは、バスケット６のチャンバ６ｂ内の押圧手段１２によって支持されるため、バスケット６内に保持する。同時に、加熱手段４をオンにして、２つの容器によって画定されるチャンバ全体を、約３５℃まで加熱して生成物を「ドライアウト」させる。
【００８５】
図１０には、製品２４ａをドライアウト中にさらに圧縮する工程を示す。
【００８６】
図１１において、ドライアウト工程を一旦完了した製品は既に実際のチーズ２４ｂとなっており、後続の工程では、チーズ２４ｂを収集容器２から取り出す。図１２において、バスケット６ｆの下部を取り外した装置を示し、図１３には、バスケット６を取り外した装置を示す。その後、チーズ２４bは完成し、押圧手段１２で支持されているが、これをユーザが取り外すことができる。図１４〜２１では、上述の操作の後に、得られたばかりのホエー２３ａからリコッタ２５（図１５に示す）を製造するための工程を示す。
【００８７】
特に、図１４には、２つの容器を一体に閉鎖して位置Ａに配置した状態において、ベースン３内にホエー２３aが存在する様子を示す。抵抗Ａを再びオンにして、所定時間の間、ホエー２３ａを８０〜９０℃まで熱すると、図１５に示すように、凝固してライトホエー２３ｂを排出し、ベースン３内においてリコッタ２５を形成する。その後、図１６に示すように、相互に連結されたベースン３及びバスケット６が位置Ｂまで一体に再度回転されて、リコッタ２５及びライトホエー２３ｂからなる生成物をバスケット６に落とす。具体的には、前述したように、リコッタ２５はバスケット６に落ち、ライトホエー２３ｂは収集容器２に排出される。
【００８８】
その後、図１７に示すように、装置を第１位置Ａに戻すことによって、バスケット６内のリコッタ２５を押圧手段１２によって圧縮する。そして、図１８および１９に示すように、バスケットの下部６ｆとバスケット６を取り外した後に、リコッタを取り外すことができる。ベースン３に蓄積されるライトホエー２３bを減らす又は再利用するために排出する。そして、洗浄を経て、装置は、新たな製造サイクルに入ることができる。
【００８９】
水及び洗剤をベースン３に投入した後に２つの容器を再度閉鎖し、投入した溶液を熱し、攪拌手段を動作させ、第１位置から第２位置への様々な傾斜サイクルを装置に実行させるような、自動洗浄プログラムは有益である。
【００９０】
乳、その他乳製品及び豆腐を製造するために、本発明に係る小型装置によって実行されうる他のプロセスとしては、例えば、モッツァレッラのようなパスタフィラータチーズの製造が挙げられる。
【００９１】
製造サイクルは、先ず、材料の調整を開始する。具体的には、選択されたレシピに従って、乳、クリーム、塩化カルシウム、レンネット及びクエン酸を調合する。これらの材料は、攪拌手段５によって数分間混合し、次いで、抵抗４を操作して内容物を約３５℃まで加熱する。１５分間静置してカードを形成させた後に、攪拌手段５を再度操作して逆方向に回転させて、カードを切断する。その後、相互に連結したベースン３及びバスケット６を再度一体に第２位置Ｂまで回転させ、カード及びホエーよりなる生成物をバスケット６に落とす。具体的には、生成物は、じょうご状部分６ｄによって、透水性バスケット６のチャンバ６ｂに導かれる。数分後、相互に連結されたベースン３及び第２容器を、第１位置Ａまで再度回転する。押圧手段１２によって支持されるカードはバスケット６内に保持され、ホエーはベースン３に落ちる。後続する工程はストレッチ工程であり、この工程は完成品の堅さに影響する。ベースン３に存在するホエーを約８０〜９０℃まで加熱する。そして、相互に接続されたベースン３及び第２容器を第２位置Ｂまで回転させ、熱したホエーを再度落下させる。バスケット６内のカードを湿らせて、約１０〜１５分間カードとホエーとが接した状態を維持する。最後に、相互に接続されたベースン３及びバスケット６を一体的に第１位置Ａまで回転させる。そして、「ストレッチ」の自動機構を操作する。特に、バスケット６の底部に設けられたピン１ｓ’と協働するピン１ｓ（図２１に示す）を有する特別な押圧手段１２ｆによる回転により、生成物が移動し、且つ、ストレッチされるストレッチ用スペースが創出される。
【００９２】
また、ユーザがカードを手動で取り出し、バスケット６に再度入れ、所望の堅さになるまで、「熱したホエーにカードを浸し、カードをストレッチする」という一連の工程を繰り返すこともできる。
【００９３】
図２０には、時間に応答する多数のパラメータの進行を示す時間ダイアグラムである。特に、y座標３０は、生成物が位置しているベースン３における温度の進行を示す。第２ｙ座標４０は、時間に応答した攪拌手段の速度を示す。グラフ状に示した期間においては、製造工程の間、攪拌手段が機能し続けていることを示す。第３のy座標５０は、製造工程の間、２つの容器を位置Aから第２位置Bに傾斜させ、またその逆に傾斜させる工程を示す。そして、y座標６０は、様々な工程中の、押圧手段の動作Ｘ（図３に示す）を示す。
【００９４】
図２１及び、図２１A及び２１Bの拡大図には、図１に示した装置とは異なる小型装置の例示的実施形態を示す。ここでは、押圧手段１２ｆは凹面を有し、バスケット６は、押圧ディスク１２ｆに対向して凹型の底部６ｆを有する。この例示的実施形態においては、押圧手段１２ｆは、カードを押圧し、且つストレッチする機能のために設けられる。これらの機能は、押圧ディスク及び収集バスケット６に配置されたストレッチピンによって与えられる。特に、ピン１sは、押圧ディスク１２ｆ上で相互に適切に離間配置され、ピン１ｓ’は、バスケット６の底部に配置されている、これにより、ピン１ｓ’はピン１ｓ（図２１Ａ及び２１Ｂに示す）と協働し、ギャップ３８を創出して、このギャップ３８は装置内の半製品をストレッチするために用いられる。より正確には、ギャップ３８を通ることで、チーズは装置的にストレッチされ、熱いホエーにしみ込む工程と組み合わせて所望の堅さの製品を得ることができる。
【００９５】
図２２の線図は、図２０と同様に、パスタフィラータチーズを製造する場合における、装置の機能パラメータを示す。
【００９６】
上述の場合と同様に、ｙ座標３０は、生成物を保持するベースン３における温度の進行を示す。ｙ座標４０は、時間に応じた攪拌手段の速度を示す。ｙ座標５０は、２つの容器が第１位置Ａから第２位置Ｂまで傾斜する期間を示し、ｙ座標６０は、多様な工程における押圧手段の動作Ｘ（図３に示す）を示す。加えて、図２０のグラフ状の表示のように、ｙ座標７０は、押圧手段１２ｆに設けられた、チーズに作用するストレッチピンが動作する速度及び時間を示す。
【００９７】
他のプロセス（図示しない）は、バターの製造に関するものである。一旦、ベースン３に投入されると、クリーム及び特別な細菌植菌は攪拌手段５によって混合される。そして、抵抗４をオンにして、約２５℃まで加熱して、所定時間温度を維持する。その後、抵抗４をオフにし、第２容器を取り外した後にベースン３に冷水を添加する。そして、その後の工程を実行する場合には、第２容器を取り付けて再びベースンを閉鎖して、攪拌手段５を再度高速で操作する。このとき、相互に連結された第１及び第２の容器を、第１位置Ａから第２位置Ｂへと、又その逆へと繰り返し回転させ、生成物を勢いよく打ち付けるように攪拌する（「バター製造」）。使用したクリームの種類及び製造時の温度に応じた所要のサイクル時間の後、クリームの脂肪部分はバターの顆粒を形成しており、既に食用可能な状態にある。
【００９８】
本発明に係る小型装置によって製造可能な製品の更なる例は、豆腐である。特に、公知のように、豆腐は豆乳より製造される。具体的には、大豆の水性抽出物や、凝固させるための凝固材（例えば、無水カルシウム硫酸塩又はクエン酸）より製造される。
【００９９】
生産工程は、以下に従う。まず、豆乳をベースン１にいれ、カードブレーカ５によって攪拌して、抵抗４によって約８５℃まで加熱する。そして、硫酸無水カルシウムを加え、暫くしてカードブレーカを停止させる。数分間、例えば、５〜１０分静置した後、凝固させる。その後、カードブレーカ５を操作してカードを破砕する。そして、装置を１８０°傾斜させ、押圧手段を操作してバスケット６に係合させて半製品を押圧する。少ししてから、装置を再度１８０°回転させて、開始位置に戻す。その後、半製品を数分間、約２０〜４０分間押圧し、それが終了すると製品はユーザによって取り出すことができるようになる。
【０１００】
最後に、更なる例として、「チーズフレーク」が挙げられる。これは「カッテージ」のようなタイプのチーズや、及び「クヴァルク」のようなフレッシュソフトチーズである。
【０１０１】
前者のタイプのチーズを製造するための工程は、牛乳と必要な植菌及びレンネットなどの薬剤を装置に投入する工程である。そして、混合のための部材を数分間動作させる。装置の抵抗４は、生成物を約３３℃まで加熱し、カードが適切な堅さ／熟成度合いになるまで一旦停止される（例えば、一時間後）。そして、カードブレーカ５を用いて生成物を「破砕」する。このように得られたカードを、約１０〜１５分間静置する。そして、カードブレーカ５で低速攪拌して、約５０〜５５℃まで徐々に加熱する「クッキング」工程を実行する。この工程は、「フレーク」を形成するまで数時間に及ぶ可能性もある。このとき、装置を最初に１８０°傾斜させ、続いて、第２に１８０°傾斜させて開始位置に戻す。このようにしてカード、即ち、「フレーク」をホエーから分離させる。
【０１０２】
最後に、このように得られるフレークを冷水にとり、冷やす。そして、例えば、塩味をつけたクリームのような、「ドレッシング」を加える。
【０１０３】
「クヴァルク」のようなフレッシュソフトチーズに代替する場合には、収集容器１に、牛乳を投入する工程、塩を投入する工程、及び様々な薬剤を投入する工程が行われ、また、この場合には攪拌手段を数分間動作させる。全体を３０℃まで加熱して、数時間静置し、その後加熱システムをオンにする。このとき装置を１８０°傾斜させて位置Ｂまですばやく移動させ、続いて１８０°傾斜させて位置Ａに戻す。位置Ａにおいて静置して、半製品に余分なホエーを排出させる。熟成に必要な時間を数時間置いた後、チーズを取り出して食用にすることが出来る。
【０１０４】
図２３及び２４には、収集容器２’に係合し、異なる製造用途に応じた異なる形状の他のバスケットと交換可能な透水性バスケット６’を示す。例えば、バスケット６’は、格子サイズ、形状を異ならせて、チーズのホエーろ過率を所望にするために準備することができる。特に、バスケットの壁は、チーズの最終形状を所望にするように構成された特定のパターンを有することができる。例えば、生チーズ又はリコッタの最終形状でありうる。
【０１０５】
図２５は、ベースン３の平面図である。特に、切断工程ではカードは攪拌手段５に伴って回転てしまい、切断工程が阻害されることを回避するために、ベースン３及びリラ５に接続するシャフト５ａは、ベースン３の中心から若干ずらして配置する。
【０１０６】
図２６Ａ及び２６Ｂは、好適な例示的実施形態に従う。水平方向３０及び垂直方向３１に張ったストリングを有する２つのリーフ５’および５”を備え、これらのストリングによってカードを小さい立方体状のブロックにカットすることが可能になる。
【０１０７】
さらに、リラ５は２つのプレート３２を備えるが、回転方向によって開放又は閉鎖状態となる。開放状態では、生成物を混合し、閉鎖状態では、水平方向のストリング３０及び垂直方向のストリング３１が、上述のようにカードを切断する。
【０１０８】
図２６Ｃには、傾斜混合面３４を備える攪拌手段５を示す。傾斜された状態では、攪拌手段５はカードを降下させるように作用し、生成物が戻ってこないようにする。この場合でさえ、攪拌手段は、スナップ式の係合端３３を備えるので迅速に交換可能である。
【０１０９】
図２７は、有利な例示的実施形態に係る小型装置の断面図である。ここでは、多数の装置部品のエンカンバランス（encumbrance）及び配置を示す。特に、攪拌手段５を操作するモータ７は軸から若干ずらして配置されており、機構１００を介して動作を伝える。抵抗４は、側壁３bにおいて容器３の最下部付近に位置する。また、スナップ式機構１０１が備えられており、製品の種類に応じて様々な種類の攪拌手段５を容易に交換することが可能である。
【０１１０】
最後に、図２８に示すように、モータ９は、ベルト１０２によって実際の位置Aから位置Bまで装置を回転させるように構成されている。モータ９は、ベース部材１０に配置し、小型装置を支持するピン８ａに接続する。
【０１１１】
本発明の想定される実施形態において、前記モータ７又は９の何れか一方や、追加のモータは、図７や図１６に示した工程において振動を生じさせうる（図示しない）。この振動はベースン３からバスケット６にカードを完全に降下させることを補助し、押圧手段１２による圧縮に先立って、一時的な圧縮を行う。
【０１１２】
上述したような、本発明の概念的な視点に従う本発明の具体的な実施形態は、当業者が現在の技術水準に基づいて様々な用途に修正又は変更することが可能である。更なる研究は不要であり、且つ、本発明から著しく乖離しない範囲内において、変更態様は本発明の均等物となることは理解されたい。本明細書に記載した様々な機能を実現するための手段及び部材は、本発明の技術分野から乖離しない範囲で異なる態様を有しうる。また、本明細書において使用した語法又は用語は、説明を目的とするものであり、発明の範囲を何ら制限するものではないことも理解されたい。
【図１】
2011504368.tif 000003
【図２】
2011504368.tif 000004
【図３】
2011504368.tif 000005
【図３Ａ】
2011504368.tif 000006
【図４】
2011504368.tif 000007
【図５】
2011504368.tif 000008
【図６】
2011504368.tif 000009
【図７】
2011504368.tif 000010
【図８】
2011504368.tif 000011
【図９】
2011504368.tif 000012
【図１０】
2011504368.tif 000013
【図１１】
2011504368.tif 000014
【図１２】
2011504368.tif 000015
【図１３】
2011504368.tif 000016
【図１４】
2011504368.tif 000017
【図１５】
2011504368.tif 000018
【図１６】
2011504368.tif 000019
【図１７】
2011504368.tif 000020
【図１８】
2011504368.tif 000021
【図１９】
2011504368.tif 000022
【図２０】
2011504368.tif 000023
【図２１】
2011504368.tif 000024
【図２１Ａ】
2011504368.tif 000025
【図２１Ｂ】
2011504368.tif 000026
【図２２】
2011504368.tif 000027
【図２３】
2011504368.tif 000028
【図２４】
2011504368.tif 000029
【図２５】
2011504368.tif 000030
【図２６Ａ】
2011504368.tif 000031
【図２６Ｂ】
2011504368.tif 000032
【図２６Ｃ】
2011504368.tif 000033
【図２７】
2011504368.tif 000034
【図２８】
2011504368.tif 000035
【国際調査報告】
2011504368.tif 000036
2011504368.tif 000037
2011504368.tif 000038